(57)【特許請求の範囲】
【請求項１】
雄側コネクタを挿入して接続する雌側コネクタが設けられた本体部と、該本体部に対してヒンジ機構によって回動可能に連結された表示部とを備える電子機器であって、
前記ヒンジ機構によって前記表示部を前記本体部に対して回動させる回動動作に連動して動作するリンク機構と、
前記雄側コネクタを挿入するための前記雌側コネクタの開口部の壁部を構成し、前記リンク機構の動作に連動して前記本体部の外面から進退することで前記開口部の開口寸法を拡縮するカバー部材と、
を備え、
前記雌側コネクタは、前記本体部に対して前記表示部が閉じられた状態では前記カバー部材によって前記開口寸法が縮小されて前記雄側コネクタを挿入不能な非使用状態となる一方、前記本体部に対して前記表示部が開かれた状態では前記カバー部材によって前記開口寸法が拡大されて前記雄側コネクタを挿入可能な使用状態となるものであり、
前記ヒンジ機構は、前記本体部と前記表示部の表面同士が対面する０度位置から、前記本体部と前記表示部の表面が同一方向を向いて互いに平行する１８０度位置を経て、前記本体部と前記表示部の背面同士が対面する３６０度位置まで前記本体部と前記表示部との間を回動可能に連結するものであり、
前記雌側コネクタは、前記本体部に対して前記表示部を閉じた前記０度位置で前記非使用状態であり、前記本体部に対して前記表示部を前記０度位置から第１の角度位置まで開いた場合に前記使用状態となり、前記本体部に対して前記表示部を前記第１の角度位置から前記３６０度位置方向に向かって回動させた第２の角度位置まで開いた場合に前記非使用状態となることを特徴とする電子機器。
【請求項２】
請求項１記載の電子機器において、
前記第１の角度位置は、前記０度位置と前記１８０度位置の間に設定され、
前記第２の角度位置は、前記１８０度位置と前記３６０度位置の間に設定されていることを特徴とする電子機器。
【請求項３】
雄側コネクタを挿入して接続する雌側コネクタが設けられた本体部と、該本体部に対してヒンジ機構によって回動可能に連結された表示部とを備える電子機器であって、
前記ヒンジ機構によって前記表示部を前記本体部に対して回動させる回動動作に連動して動作するリンク機構と、
前記雄側コネクタを挿入するための前記雌側コネクタの開口部の壁部を構成し、前記リンク機構の動作に連動して前記本体部の外面から進退することで前記開口部の開口寸法を拡縮するカバー部材と、
を備え、
前記リンク機構は、前記本体部に対する前記表示部の回動動作に伴い、該本体部の本体筐体に対して前後方向に移動する第１スライド部材と、
前後方向に移動する前記第１スライド部材によって押圧されると前記カバー部材を上下方向に移動させる昇降用部材と、
前記表示部と前記第１スライド部材との間の連動状態を解除可能な緩衝部とを備えることを特徴とする電子機器。
【請求項４】
雄側コネクタを挿入して接続する雌側コネクタが設けられた本体部と、該本体部に対してヒンジ機構によって回動可能に連結された表示部とを備える電子機器であって、
前記ヒンジ機構によって前記表示部を前記本体部に対して回動させる回動動作に連動して動作するリンク機構と、
前記雄側コネクタを挿入するための前記雌側コネクタの開口部の壁部を構成し、前記リンク機構の動作に連動して前記本体部の外面から進退することで前記開口部の開口寸法を拡縮するカバー部材と、
を備え、
前記リンク機構は、前記本体部に対する前記表示部の回動動作に伴い、該本体部の本体筐体に対して前後方向に移動する第１スライド部材と、
前後方向に移動する前記第１スライド部材によって押圧されると前記カバー部材を上下方向に移動させる昇降用部材とを有し、
連結部材によって前記第１スライド部材と連結され、該第１スライド部材の前後方向への移動を受けて前記本体筐体に対して前後方向に従動することで、前記カバー部材とは別の可動部材を前記本体部の外面から進退させる第２スライド部材を備え、
前記連結部材は、前記本体部に対する前記表示部の回動角度に応じて前記第２スライド部材と前記第１スライド部材との間を連結状態又は非連結状態とする連結状態切換部を有することを特徴とする電子機器。
【請求項５】
請求項１記載の電子機器において、
前記リンク機構は、前記本体部に対する前記表示部の回動動作に伴い、該本体部の本体筐体に対して前後方向に移動する第１スライド部材と、
前後方向に移動する前記第１スライド部材によって押圧されると前記カバー部材を上下方向に移動させる昇降用部材とを有し、
連結部材によって前記第１スライド部材と連結され、該第１スライド部材の前後方向への移動を受けて前記本体筐体に対して前後方向に従動することで、前記カバー部材とは別の可動部材を前記本体部の外面から進退させる第２スライド部材を備え、
前記連結部材は、前記本体部に対する前記表示部の回動角度に応じて前記第２スライド部材と前記第１スライド部材との間を連結状態又は非連結状態とする連結状態切換部を有し、
前記連結状態切換部は、前記本体部に対して前記表示部が前記０度位置と前記１８０度位置との間にある場合には前記第２スライド部材と前記第１スライド部材との間を非連結状態とし、前記本体部に対して前記表示部が前記１８０度位置と前記３６０度位置との間にある場合に前記第２スライド部材と前記第１スライド部材との間を連結状態とするものであり、
前記可動部材は、前記本体部に設けられたキーボードの周囲に配設されるベゼルであって、該ベゼルは、前記表示部が前記０度位置から前記１８０度位置にある場合にはキーボードの各キーの頂面よりも下にある下降位置になり、前記表示部の前記１８０度位置から前記３６０度位置までの回動動作に伴って上昇し、前記表示部が前記３６０度位置にある場合には、キーボードの各キーの頂面と面一にある上昇位置になることを特徴とする電子機器。
【請求項６】
請求項１〜５のいずれか１項に記載の電子機器において、
前記カバー部材の外面にゴム脚を設けたことを特徴とする電子機器。
【請求項７】
請求項１〜６のいずれか１項に記載の電子機器において、
前記雄側コネクタと前記雌側コネクタとの間の接続規格がＵＳＢ規格又はイーサネット（登録商標）規格に準拠することを特徴とする電子機器。
【発明の詳細な説明】
【技術分野】
【０００１】
本発明は、本体部と表示部とをヒンジ機構によって回動可能に連結した電子機器に関する。
【背景技術】
【０００２】
パーソナルコンピュータ等の多くの電子機器には、周辺機器の接続用等としてＵＳＢ（Ｕｎｉｖｅｒｓａｌ  Ｓｅｒｉａｌ  Ｂｕｓ）規格に準拠した雌側コネクタやネットワーク接続用のイーサネット（登録商標）規格に準拠した雌側コネクタ等が設けられている（例えば、特許文献１参照）。
【０００３】
ところで、例えばＵＳＢ規格のスタンダードタイプ（レギュラータイプ）の雌側コネクタは、雄側コネクタを挿入するための開口部にある程度の厚み方向の寸法（開口寸法）を必要とし、イーサネット（登録商標）規格の雌側コネクタ等も同様である。
【０００４】
このため、近年急速に薄型化が進んでいるノートブック型パーソナルコンピュータ（ノート型ＰＣ）やコンバーチブルタブレット型パーソナルコンピュータ（コンバーチブル型ＰＣ）等の薄型の電子機器に上記のような雌側コネクタを搭載することが次第に難しくなってきている。ここで、コンバーチブル型ＰＣとは、例えばノート型ＰＣの表示部を３６０度反転させてタブレット型パーソナルコンピュータ（タブレット型ＰＣ）としても使用できる構造のものである。
【０００５】
雌側コネクタの薄型化に関し、例えば特許文献２には、開閉式の電気コネクタとしてイーサネット（登録商標）規格の雌側コネクタをノート型ＰＣの本体部側面に設けた構成が開示されている。この雌側コネクタは、上下方向に可動するカバーをコネクタの開口部の壁部に用いている。これにより、カバーを上又は下に押圧操作することで非使用時には開口寸法が薄くなり、使用時にのみ開口寸法が大きくすることができる。
【先行技術文献】
【特許文献】
【０００６】
【特許文献１】特開２０１４−１６４４４５号公報
【特許文献２】登録実用新案第３１０４３７４号公報
【発明の概要】
【発明が解決しようとする課題】
【０００７】
上記特許文献２の構成では、雄側コネクタを雌側コネクタに挿入して接続する際、ユーザが指先や雄側コネクタの先端を用いて雌側コネクタのカバーを開く必要があり、手間がかかる。また、開口寸法が縮小されたままの雌側コネクタに雄側コネクタを挿入すると、挿入角度によってはカバーに大きな負荷がかかり、破損等を生じる懸念もある。
【０００８】
本発明は、上記従来技術の課題を考慮してなされたものであり、薄型の本体部であっても所定の開口寸法を必要とする雌側コネクタを搭載することができ、ユーザの操作負担や破損の発生を抑えることができる電子機器を提供することを目的とする。
【課題を解決するための手段】
【０００９】
本発明に係る電子機器は、雄側コネクタを挿入して接続する雌側コネクタが設けられた本体部と、該本体部に対してヒンジ機構によって回動可能に連結された表示部とを備える電子機器であって、前記ヒンジ機構によって前記表示部を前記本体部に対して回動させる回動動作に連動して動作するリンク機構と、前記雄側コネクタを挿入するための前記雌側コネクタの開口部の壁部を構成し、前記リンク機構の動作に連動して前記本体部の外面から進退することで前記開口部の開口寸法を拡縮するカバー部材とを備えることを特徴とする。
【００１０】
このような構成によれば、本体部を薄型に構成し、所望の接続規格からなり所定の開口寸法を必要とする雌側コネクタを本体部に搭載することが難しい場合であっても、可動するカバー部材によって雌側コネクタの開口寸法を拡縮可能としたことにより、雌側コネクタの搭載が可能となる。しかも、カバー部材はリンク機構を介して表示部の回動動作に連動して進退する。このため、例えば表示部を閉じた状態では雌側コネクタの開口寸法を縮小させて本体部を可及的に薄型に構成することができる一方、表示部を開いて電子機器を使用する際には雌側コネクタの開口寸法が拡大されるため雄型コネクタを挿入して外部機器を円滑に接続することができる。これにより、ユーザはカバー部材の動作を意識せずに雌側コネクタを利用できるため操作負担がなく、また開口寸法が縮小された状態の雌側コネクタに雄側コネクタを誤って挿入することも防止できるため、カバー部材の破損等も回避できる。
【００１１】
前記雌側コネクタは、前記本体部に対して前記表示部が閉じられた状態では前記カバー部材によって前記開口寸法が縮小されて前記雄側コネクタを挿入不能な非使用状態となる一方、前記本体部に対して前記表示部が開かれた状態では前記カバー部材によって前記開口寸法が拡大されて前記雄側コネクタを挿入可能な使用状態となる構成であってもよい。これにより、本発明に係る電子機器が、例えばコンバーチブル型ＰＣやノート型ＰＣである場合に高い利便性が得られる。
【００１２】
前記ヒンジ機構は、前記本体部と前記表示部の表面同士が対面する０度位置から、前記本体部と前記表示部の表面が同一方向を向いて互いに平行する１８０度位置を経て、前記本体部と前記表示部の背面同士が対面する３６０度位置まで前記本体部と前記表示部との間を回動可能に連結するものであり、前記雌側コネクタは、前記本体部に対して前記表示部を閉じた前記０度位置で前記非使用状態であり、前記本体部に対して前記表示部を前記０度位置から第１の角度位置まで開いた場合に前記使用状態となり、前記本体部に対して前記表示部を前記第１の角度位置から前記３６０度位置方向に向かって回動させた第２の角度位置まで開いた場合に前記非使用状態となる構成であってもよい。これにより、本発明に係る電子機器が、例えばコンバーチブル型ＰＣである場合にノート型ＰＣでの使用形態では雌側コネクタを使用状態とすることができる一方、タブレット型ＰＣでの使用形態ではカバー部材を収納して電子機器全体の板厚を薄型に構成することができる。
【００１３】
前記第１の角度位置は、前記０度位置と前記１８０度位置の間に設定され、前記第２の角度位置は、前記１８０度位置と前記３６０度位置の間に設定されるとよい。
【００１４】
前記リンク機構は、前記本体部に対する前記表示部の回動動作に伴い、該本体部の本体筐体に対して前後方向に移動する第１スライド部材と、前後方向に移動する前記第１スライド部材によって押圧されると前記カバー部材を上下方向に移動させる昇降用部材とを有する構成であってもよい。
【００１５】
前記リンク機構は、前記表示部と前記第１スライド部材との間の連動状態を解除可能な緩衝部を備えると、カバー部材が手や机等で押さえられた状態のまま表示部が回動操作された場合であっても、リンク機構による表示部の回動動作とカバー部材の進退動作との連動状態を緩衝部によって解除することができる。このため、表示部、ヒンジ機構及びリンク機構の各部に大きな負担がかかり、各部に破損等を生じることを回避できる。
【００１６】
連結部材によって前記第１スライド部材と連結され、該第１スライド部材の前後方向への移動を受けて前記本体筐体に対して前後方向に従動することで、前記カバー部材とは別の可動部材を前記本体部の外面から進退させる第２スライド部材を備え、前記連結部材は、前記本体部に対する前記表示部の回動角度に応じて前記第２スライド部材と前記第１スライド部材との間を連結状態又は非連結状態とする連結状態切換部を有する構成であってもよい。これにより、カバー部材と可動部材とをそれぞれ表示部の回動角度に応じて個別に動作させることができる。
【００１７】
前記連結状態切換部は、前記本体部に対して前記表示部が前記０度位置と前記１８０度位置との間にある場合には前記第２スライド部材と前記第１スライド部材との間を非連結状態とし、前記本体部に対して前記表示部が前記１８０度位置と前記３６０度位置との間にある場合に前記第２スライド部材と前記第１スライド部材との間を連結状態とするものであり、前記可動部材は、前記本体部に設けられたキーボードの周囲に配設されるベゼルであって、該ベゼルは、前記表示部が前記０度位置から前記１８０度位置にある場合にはキーボードの各キーの頂面よりも下にある下降位置になり、前記表示部の前記１８０度位置から前記３６０度位置までの回動動作に伴って上昇し、前記表示部が前記３６０度位置にある場合には、キーボードの各キーの頂面と面一にある上昇位置になる構成であってもよい。なお、ベゼルが各キーの頂面と面一であるとは、完全に面一な状態の他、上下方向の多少の位置ずれは当然含む概念である。
【００１８】
前記カバー部材の外面にゴム脚を設けてもよい。
【００１９】
前記雄側コネクタと前記雌側コネクタとの間の接続規格がＵＳＢ規格又はイーサネット（登録商標）規格に準拠するものであってもよい。
【発明の効果】
【００２０】
本発明によれば、本体部を薄型に構成し、所望の接続規格からなる雌側コネクタを本体部に搭載することが可能となる。しかも、カバー部材はリンク機構を介して表示部の回動動作に連動して進退するため、ユーザはカバー部材の動作を意識せずに雌側コネクタを利用できて操作負担がなく、また開口寸法が縮小された状態の雌側コネクタに雄側コネクタを誤って挿入することも防止できるため、カバー部材の破損等も回避できる。
【図面の簡単な説明】
【００２１】
【図１】図１は、本発明の一実施形態に係る電子機器の斜視図である。
【図２】図２は、図１に示す電子機器の表示部を本体部に対して閉じて収納形態とした側面図である。
【図３】図３は、図２に示す状態から表示部を開き方向に回動させたノート型ＰＣでの使用形態の一例を示す側面図である。
【図４】図４は、図３に示す状態から表示部をさらに開き方向に回動させて１８０度位置とした状態での側面図である。
【図５】図５は、図４に示す状態から表示部をさらに開き方向に回動させて３６０度位置としたタブレット型ＰＣでの使用形態を示す側面図である。
【図６】図６は、雌側コネクタの斜視図であり、図６（Ａ）は、非使用状態を示す図であり、図６（Ｂ）は、使用状態を示す図である。
【図７】図７は、本実施形態に係る電子機器に用いられるヒンジ機構の一構成例を模式的に示す正面図である。
【図８】図８は、ヒンジ機構に設けられるスパイラルピンの外周面に形成されたレール溝の展開図である。
【図９】図９は、０度位置でのリンク機構及びカバー部材の状態を示す斜視図である。
【図１０】図１０は、９０度位置でのリンク機構及びカバー部材の状態を示す斜視図である。
【図１１】図１１は、１８０度位置でのリンク機構及びカバー部材の状態を示す斜視図である。
【図１２】図１２は、２４０度位置でのリンク機構及びカバー部材の状態を示す斜視図である。
【図１３】図１３は、３６０度位置でのリンク機構及びカバー部材の状態を示す斜視図である。
【図１４】図１４は、０度位置でのリンク機構の状態を模式的に示す底面図である。
【図１５】図１５は、１８０度位置でのリンク機構の状態を模式的に示す底面図である。
【図１６】図１６は、３６０度位置でのリンク機構の状態を模式的に示す底面図である。
【図１７】図１７は、雌側コネクタを開閉するカバー部材の動作を模式的に示す側面断面図であり、図１７（Ａ）は、０度位置でのカバー部材及び昇降用部材の状態を示す図であり、図１７（Ｂ）は、９０度位置から１８０度位置までの間でのカバー部材及び昇降用部材の状態を示す図であり、図１７（Ｃ）は、３６０度位置でのカバー部材及び昇降用部材の状態を示す図である。
【図１８】図１８は、０度位置から１８０度位置までの間でのベゼル及びキーの状態を示す斜視図である。
【図１９】図１９は、３６０度位置でのベゼル及びキーの状態を示す斜視図である。
【図２０】図２０は、駆動ワイヤの動作を説明するために該駆動ワイヤの一端側を模式的に示した平面図であり、図２０（Ａ）は、０度位置から１８０度位置までの間での駆動ワイヤの状態を示す図であり、図２０（Ｂ）は、３６０度位置での駆動ワイヤの状態を示す図である。
【図２１】図２１は、緩衝部の作用を説明するための平面図であり、図２１（Ａ）は、緩衝部による緩衝作用が機能していない状態を示す図であり、図２１（Ｂ）は、緩衝部による緩衝作用が機能した状態を示す図である。
【発明を実施するための形態】
【００２２】
以下、本発明に係る電子機器について好適な実施の形態を挙げ、添付の図面を参照しながら詳細に説明する。
【００２３】
１．電子機器の全体構成の説明
図１は、本発明の一実施形態に係る電子機器１０の斜視図であり、ヒンジ機構１２Ｌ，１２Ｒによって表示部１４を本体部１６から開いて両者を略直交させた状態を示す。図２は、図１に示す電子機器１０の表示部１４を本体部１６に対して閉じて収納形態とした側面図であり、図３は、図２に示す状態から表示部１４を開き方向に回動させたノート型ＰＣでの使用形態の一例を示す側面図である。また、図４は、図３に示す状態から表示部１４をさらに開き方向に回動させて１８０度位置とした状態での側面図であり、図５は、図４に示す状態から表示部１４をさらに開き方向に回動させて３６０度位置としたタブレット型ＰＣでの使用形態を示す側面図である。
【００２４】
本実施形態に係る電子機器１０は、表示部１４を本体部１６に対して９０〜１５０度程度の角度位置に回動させた状態ではノート型ＰＣとして好適に使用でき（図１及び図３参照）、表示部１４を本体部１６に対して３６０度位置まで回動させた状態ではタブレット型ＰＣとして好適に使用できる（図５参照）、いわゆるコンバーチブルタブレット型パーソナルコンピュータ（コンバーチブル型ＰＣ）である。本発明は、このようなコンバーチブル型ＰＣ以外、例えば、一般的なノート型ＰＣ、携帯電話、スマートフォン又は電子手帳等の各種の電子機器に適用可能である。
【００２５】
以下、図１及び図３に示すノート型ＰＣでの使用形態を基準とし、表示部１４の前面（表面）１４ａに設けられたディスプレイ１８を視認しながら本体部１６の上面（表面）１６ａに設けられたキーボード２０やタッチパッドを操作するユーザから見た方向で、手前側を前側（前方）、奥側を後側（後方）と呼び、本体部１６の厚み方向を上下方向、幅方向を左右方向と呼んで説明する。
【００２６】
また、説明の便宜上、ヒンジ機構１２Ｌ，１２Ｒによる本体部１６と表示部１４の角度位置について、表示部１４を本体部１６に対して完全に閉じた状態とし、ディスプレイ１８とキーボード２０が対面した姿勢を０度位置（図２参照）と呼ぶ。そして、この０度位置を基準として表示部１４を開き方向に回動させる方向で角度を刻みながら説明するものとし、例えばディスプレイ１８とキーボード２０の表面同士が同一方向（図４では上方）を向いて互いに平行した姿勢を１８０度位置（図４参照）と呼び、ディスプレイ１８とキーボード２０の背面同士、つまり表示部１４の背面１４ｂと本体部１６の下面（背面）１６ｂとが対面した姿勢を３６０度位置（図５参照）と呼ぶものとする。なお、０度位置、１８０度位置及び３６０度位置等の表記については、本体部１６、表示部１４又はヒンジ機構１２Ｌ，１２Ｒの構造により、角度数字の示す正確な角度位置から多少ずれた角度位置となることも当然生じるものであり、これらのずれた角度位置も含めて本実施形態では０度位置等と呼んで説明している。
【００２７】
図１〜図５に示すように、電子機器１０は、ディスプレイ１８を有する表示部１４と、キーボード２０を有する本体部１６とを備える。表示部１４と本体部１６とは、左右一対のヒンジ機構１２Ｌ，１２Ｒ（以下、まとめて「ヒンジ機構１２」とも呼ぶ）によって０度位置から３６０度位置まで回動可能に連結されている。
【００２８】
表示部１４は、ヒンジ機構１２を通過した図示しないケーブルにより本体部１６と電気的に接続されている。ディスプレイ１８は、例えばタッチパネル式の液晶表示装置によって構成される。
【００２９】
本体部１６は、扁平な箱状に形成された本体筐体２２の後端縁部にヒンジ機構１２が設けられると共に、本体筐体２２の内部には、図示しない基板、演算装置、及びメモリ等の各種電子部品が収納されている。
【００３０】
本体部１６の上面１６ａに設けられたキーボード２０は、複数のキー２０ａと、各キー２０ａの周囲に設けられたベゼル２０ｂとを有する。ベゼル２０ｂは、一枚の板状部材に各キー２０ａを挿通させる複数の孔部２１（図１８参照）を形成した枠体である。ベゼル２０ｂは、本体部１６の上面１６ａの開口、具体的には本体筐体２２の上カバー２２ａに形成されたキーボード２０の配設用の開口２３内で上下動可能である。ベゼル２０ｂの上下動作はヒンジ機構１２による表示部１４の回動動作に連動する。
【００３１】
本体部１６の左右の側面後方側にはそれぞれ雌側コネクタ２４が設けられている。雌側コネクタ２４は雄側コネクタ２５（図１７（Ｂ）参照）を挿入して接続するための電気的接続口である。図６（Ａ）及び図６（Ｂ）に示すように、雌側コネクタ２４は、雄側コネクタ２５を挿入するための開口部２６の壁部の一部（下壁部）を上下動可能なカバー部材２８によって構成している。カバー部材２８の上下動作はヒンジ機構１２による表示部１４の回動動作に連動する。
【００３２】
本実施形態の場合、雌側コネクタ２４と雄側コネクタ２５の接続規格はＵＳＢ規格に準拠した接続規格で構成され、例えば従来から広汎に使用されているスタンダードタイプ（レギュラータイプ）のＵＳＢ−Ａタイプ規格（Ｓｔａｎｄａｒｄ−Ａ）である。雌側コネクタ２４と雄側コネクタ２５の接続規格はＳｔａｎｄａｒｄ−Ａ以外のＵＳＢ規格であってもよく、ＵＳＢ規格以外、例えばイーサネット（登録商標）規格に準拠したものであってもよい。
【００３３】
本体部１６の下面１６ｂには、収納形態時やノート型ＰＣでの使用形態時に机上に着地して本体部１６を支持する前後のゴム脚２９Ｆ，２９Ｒがそれぞれ左右一対設けられている。前側のゴム脚２９Ｆは、下面１６ｂの前側両隅部付近で下面１６ｂに固着されている。後側のゴム脚２９Ｒは、下面１６ｂの後側両隅部付近でカバー部材２８の表面（下面）に固着されている。つまり、後側左右のゴム脚２９Ｒはカバー部材２８の上下動作に伴って上下動作する。
【００３４】
２．ヒンジ機構の説明
次に、ヒンジ機構１２の構成例について説明する。
【００３５】
図７は、本実施形態に係る電子機器１０に用いられるヒンジ機構１２の一構成例を模式的に示す正面図であり、左側のヒンジ機構１２Ｌを示している。以下、ヒンジ機構１２として左側のヒンジ機構１２Ｌを例示して説明するが、右側のヒンジ機構１２Ｒは左側のヒンジ機構１２Ｌと左右対称構造であって実質的に同一構造のため、その詳細な説明は省略する。
【００３６】
図７に示すように、ヒンジ機構１２Ｌ（１２Ｒ）は、左右方向に延在する第１シャフト（第１軸）３０と、第１シャフト３０と平行して設置された第２シャフト（第２軸）３１と、第１シャフト３０及び第２シャフト３１を回転可能に軸支して収納する箱状のヒンジ筐体３２とを備える。
【００３７】
第１シャフト３０は、一端部が表示部１４の筐体に設けられた図示しない嵌合孔に嵌入固定されることで該表示部１４と一体的に回転する。第２シャフト３１は、一端部が本体部１６の本体筐体２２に設けられた図示しない嵌合孔に嵌入固定されることで該本体部１６と一体的に回転する。第１シャフト３０及び第２シャフト３１の大部分はヒンジ筐体３２の内部に回転可能な状態で収納されている。
【００３８】
第１シャフト３０にはかさ歯車３４が外嵌され、第２シャフト３１にはかさ歯車３５が外嵌されている。これらかさ歯車３４，３５間はヒンジ筐体３２によって回転可能に軸支された連結歯車体３６によって連結され、互いの回転が同期する。これにより、本体部１６に対して表示部１４を回動させると、第１シャフト３０及び第２シャフト３１は０度位置から３６０度位置まで同期して回転する。この際、本体部１６側の第２シャフト３１を基準とすると、ヒンジ筐体３２が図２に示す位置から図５に示す位置まで１８０度回動する。
【００３９】
ヒンジ筐体３２には、本体部１６の上カバー２２ａ及び下カバー２２ｂに形成された凸状部２２ｃ（図９及び図１４参照）を跨ぐ凹状部３２ａが設けられている。凹状部３２ａの一側面にはスパイラルピン３８が突設されている。スパイラルピン３８は本体部１６側の第２シャフト３１と同軸上に設けられ、ヒンジ筐体３２の回動動作に連動して第２シャフト３１と同軸で回転する。スパイラルピン３８の外周面には、図８に示す展開図に示された形状からなるレール溝３９が螺旋状に形成されている。
【００４０】
レール溝３９は、スパイラルピン３８の外周面で軸方向に沿って螺旋を描くように形成された第１作動部３９ａ及び第２作動部３９ｂと、第１作動部３９ａ及び第２作動部３９ｂの間に設けられ、スパイラルピン３８の外周面で周方向に沿って形成された空振り部３９ｃとを有する。レール溝３９には、後述するリンク機構４０を構成するヒンジリンク４２の係合片４２ａが摺動可能に係合している。係合片４２ａは、表示部１４の０度位置から９０度位置までの回動の間は第１作動部３９ａを移動し、９０度位置から１８０度位置までの回動の間は空振り部３９ｃを移動し、１８０度位置から３６０度位置までの回動の間は第２作動部３９ｂを移動する。
【００４１】
本発明を例えば一般的なノート型ＰＣに適用する場合は、上記のような２軸構造のヒンジ機構１２に代えて１軸構造のヒンジ機構を用いてもよい。
【００４２】
３．ヒンジ機構による回動動作と連動する可動構造の説明
３．１  リンク機構の説明
次に、ヒンジ機構１２による表示部１４の回動動作とカバー部材２８及びベゼル２０ｂの進退動作とを連動させるリンク機構４０について説明する。
【００４３】
図９は、０度位置でのリンク機構４０及びカバー部材２８の状態を示す斜視図であり、下カバー２２ｂの一部を取り外して本体部１６を下面１６ａ側から見た図である。同様に、図１０、図１１、図１２、図１３はそれぞれ９０度位置、１８０度位置、２４０度位置、３６０度位置でのリンク機構４０及びカバー部材２８の状態を示す斜視図である。また、図１４は、０度位置でのリンク機構４０の状態を模式的に示す底面図であり、本体部１６を下面１６ａ側から見た図である。同様に、図１５、図１６はそれぞれ１８０度位置、３６０度位置でのリンク機構４０の状態を模式的に示す底面図である。図９〜図１６では、左側のヒンジ機構１２Ｌ及びこれと連動するリンク機構４０を例示して説明するが、右側のヒンジ機構１２Ｒ及びこれと連動するリンク機構４０は左側のものと左右対称構造であって実質的に同一構造のため、その詳細な説明は省略する。
【００４４】
図９及び図１４に示すように、リンク機構４０は、本体部１６の本体筐体２２内部に収容配置され、上カバー２２ａと下カバー２２ｂとの間に支持されて動作する。リンク機構４０は、ヒンジ機構１２と連結されたヒンジ連結機構部４４と、雌側コネクタ２４のカバー部材２８を上下動させるカバー開閉機構部４６と、キーボード２０のベゼル２０ｂを上下動させるベゼル昇降機構部４８とを備える。
【００４５】
ヒンジ連結機構部４４は、上カバー２２ａに固定されたベースプレート５０と、ベースプレート５０の下面（図９及び図１４では上面）に対して左右方向に移動可能に支持されたヒンジリンク４２と、ベースプレート５０の下面に対して回動軸５１を中心として回動可能に支持されたリンクプレート５２とを備える。
【００４６】
ヒンジリンク４２は、内側部から後方へと突出してスパイラルピン３８のレール溝３９に係合する係合片４２ａを有するＬ字状のプレートである。表示部１４が回動されてスパイラルピン３８が回転すると、ヒンジリンク４２は、係合片４２ａがレール溝３９の第１作動部３９ａ及び第２作動部３９ｂに位置している際には左右方向にスライド移動し、係合片４２ａが空振り部３９ｃに位置している際には移動しない（図８参照）。スパイラルピン３８の先端は、ベースプレート５０の一側部から後側に突出した軸受片５０ａによって軸支されている。
【００４７】
リンクプレート５２は、回動軸５１が設けられたヒンジリンク４２側の一端部に膨らんだ湾曲形状を有する略三角形状のプレートである。リンクプレート５２は、回動軸５１の後側となる位置でヒンジリンク４２との間が連結ピン５３によって互いに回転可能な状態で連結されている。リンクプレート５２の回動軸５１とは反対側の他端部にはカバー開閉機構部４６の作用ピン５４が回転可能に支持されている。作用ピン５４は、ベースプレート５０に形成された前後方向の長孔５０ｂに摺動可能に係合している。
【００４８】
ヒンジ連結機構部４４では、スパイラルピン３８の回転を受けてヒンジリンク４２が左右方向にスライド移動すると、連結ピン５３が力点となると共に回動軸５１が回動支点となってリンクプレート５２が回動し、作用ピン５４が作用点となって長孔５０ｂ内で前後方向に移動する（図９〜図１６参照）。
【００４９】
カバー開閉機構部４６は、緩衝部５６を介してヒンジ連結機構部４４と連結され、前後方向に移動可能な開閉スライド部材５８と、開閉スライド部材５８によって押圧されて左右方向に移動するとカバー部材２８を上下動させる前後一対の昇降用部材６０，６０とを備える。
【００５０】
緩衝部５６は、ベースプレート５０と上カバー２２ａとの間に前後方向に移動可能に挿入された連結プレート５６ａと、連結プレート５６ａの前側に設けられた箱状のハウジング５６ｂとを有する。連結プレート５６ａの後端部には作用ピン５４が上方に向かって突設されている。作用ピン５４は、ベースプレート５０の長孔５０ｂを挿通してリンクプレート５２の孔部に回転可能に嵌挿される。
【００５１】
ハウジング５６ｂの内部には、コイルばね６２の付勢力によって開閉スライド部材５８側（図１４中で右側）に常時付勢された突部材６４が左右方向に移動可能に配設されている。突部材６４の先端は先細り三角形状に構成されており、開閉スライド部材５８の側面に突設された先細り三角形状の受け部材６６に対して前側から係合されている。ハウジング５６ｂは、その前端面が開閉スライド部材５８のサブプレート５８ｂの後端面に当接している。コイルばね６２は、通常時には突部材６４が退動せず、緩衝部５６が後方に移動した場合に受け部材６６を介して開閉スライド部材５８を後方に従動させることができ、開閉スライド部材５８が移動不能となった異常時には受け部材６６への摺接力によって押圧された突部材６４を退動させ、緩衝部５６と開閉スライド部材５８との間を切離すことが可能なばね定数を持った圧縮ばねである。
【００５２】
開閉スライド部材５８は、前後方向に延在したメインプレート５８ａと、メインプレート５８ａの外側面から突出したサブプレート５８ｂとを有する略Ｔ字形状のプレートである。開閉スライド部材５８は、メインプレート５８ａの前後端部にそれぞれ前後方向の長孔６７を有し、サブプレート５８ｂの一側部に前後方向の長孔６８を有する。各長孔６７，６８には、上カバー２２ａから突出したガイドピン６９，７０が摺動可能に係合している。開閉スライド部材５８は、これら３本のガイドピン６９，７０によるガイド作用下に上カバー２２ａと下カバー２２ｂとの間で前後方向に移動可能である。
【００５３】
メインプレート５８ａのサブプレート５８ｂよりも後側にある部分の外側面には、緩衝部５６に向かって受け部材６６が突設されている。また、メインプレート５８ａのサブプレート５８ｂ部分よりも前側にある狭幅部分の外側面には、一部の板厚を薄く構成することで前後方向に延在した摺動面７１が設けられている。摺動面７１には、昇降用部材６０側（図１４中で左側）に向かって突出した先細り三角形状の押圧部７２が前後一対で設けられている。
【００５４】
開閉スライド部材５８は、緩衝部５６が前方に移動した場合、突部材６４と受け部材６６の係合作用下に該緩衝部５６と一体となって前方に移動し、緩衝部５６が後方に移動した場合、サブプレート５８ｂの後端面がハウジング５６ｂの前端面に押圧されることで該緩衝部５６と一体となって後方に移動する。
【００５５】
各昇降用部材６０は、上カバー２２ａとカバー部材２８との間で左右方向に移動可能な部材であり、開閉スライド部材５８の摺動面７１側の先端に先細り三角形状の摺接部６０ａが形成されている。各昇降用部材６０は、一端が本体筐体２２に固定されたコイルばね７４の他端が固定されることで摺動面７１側に常時付勢されている。各昇降用部材６０の下面（図９及び図１４では上面）には、外側（雌側コネクタ２４の開口部２６側）に向かって上方に傾斜する昇降レール６０ｂが左右一対設けられている（図１７参照）。図９及び図１４に示すように、後側の昇降用部材６０は昇降レール６０ｂの前側略半分がカバー部材２８に重なる位置に配置され、前側の昇降用部材６０は昇降レール６０ｂの後側略半分がカバー部材２８に重なる位置に配置されている。
【００５６】
ベゼル昇降機構部４８は、連結部材７６を介して開閉スライド部材５８と連結された昇降スライド部材７８を備える。
【００５７】
昇降スライド部材７８は、開閉スライド部材５８が前後方向に移動して連結部材７６を前後方向に移動させると、これに従動して前後方向に移動する長尺なプレートである。昇降スライド部材７８は、前後端部にそれぞれ前後方向の長孔７９を有し、各長孔７９には上カバー２２ａから突出したガイドピン６９が挿通している。すなわち、各ガイドピン６９は昇降スライド部材７８の長孔７９を挿通して開閉スライド部材５８の長孔６７に係合している。昇降スライド部材７８は、２本のガイドピン６９によるガイド作用下に上カバー２２ａと下カバー２２ｂとの間で前後方向に移動可能である。
【００５８】
昇降スライド部材７８の内側面には、ベゼル２０ｂの下面に軸支されて左右方向に延在した駆動ワイヤ８０の端部が係合されるスリット８１が複数形成されている（図１４及び図１８参照）。
【００５９】
連結部材７６は、図１４〜図１６に示すように、開閉スライド部材５８及び昇降スライド部材７８と上カバー２２ａとの間で左右方向に移動可能な略Ｌ字状のプレートである。連結部材７６の下面（図１４〜図１６では上面）には、本体部１６に対する表示部１４の回動角度に応じて昇降スライド部材７８と開閉スライド部材５８との間を連結状態又は非連結状態に切り換える連結状態切換部８２となる一対のレール溝８４，８５が形成されている。連結状態切換部８２が連結状態にある場合、昇降スライド部材７８は開閉スライド部材５８と一体となって前後方向に移動し、連結状態切換部８２が非連結状態にある場合、昇降スライド部材７８は開閉スライド部材５８から分離されて前後方向に移動しない。
【００６０】
一方のレール溝８４は、連結部材７６の前端面から後方に向かって前後方向に延びた空振り部８４ａと、空振り部８４ａの後端から後方に向かって内方（図１４中で右側）へと傾斜した連結部８４ｂとを有する。レール溝８４には、開閉スライド部材５８の上面から突出した駆動ピン８６が摺動可能に係合している。駆動ピン８６は、表示部１４の０度位置から９０度位置までの回動の間は空振り部８４ａを移動し、９０度位置から１８０度位置までの回動の間は開閉スライド部材５８が移動しないために空振り８４ａの後端に留まり、１８０度位置から３６０度位置まで回動の間は連結部８４ｂを移動する。
【００６１】
他方のレール溝８５は、レール溝８４の連結部８４ｂと並ぶように設けられ、後方に向かって内方（図１４中で右側）に傾斜した形状である。レール溝８５には、昇降スライド部材７８の上面から突出した従動ピン８７が摺動可能に係合している。
【００６２】
従って、駆動ピン８６が空振り部８４ａにある場合、連結部材７６は移動せず、開閉スライド部材５８が前後方向に移動しても昇降スライド部材７８は移動しない。一方、駆動ピン８６が連結部８４ｂを移動している場合、連結部材７６は駆動ピン８６からの押圧力を受けて左右方向に移動し、レール溝８５によって従動ピン８７を押圧移動させる。これにより、開閉スライド部材５８が後方に向かって移動し、駆動ピン８６が連結部８４ｂを後方に向かって移動している場合、従動ピン８７もレール溝８５を後方に向かって移動するため昇降スライド部材７８も後方に向かって移動する。反対に開閉スライド部材５８が前方に向かって移動している場合は昇降スライド部材７８も前方に向かって移動する。
【００６３】
３．２  カバー部材の可動構造の説明
次に、カバー部材２８の可動構造について説明する。
【００６４】
３．２（１）  カバー部材２８の構成の説明
先ず、カバー部材２８の構成について説明する。図１７は、雌側コネクタ２４を開閉するカバー部材２８の動作を模式的に示す側面断面図であり、図１７（Ａ）は、０度位置でのカバー部材２８及び昇降用部材６０の状態を示す図であり、図１７（Ｂ）は、９０度位置から１８０度位置までの間でのカバー部材２８及び昇降用部材６０の状態を示す図であり、図１７（Ｃ）は、３６０度位置でのカバー部材２８及び昇降用部材６０の状態を示す図である。
【００６５】
図６（Ａ）及び図６（Ｂ）に示すように、カバー部材２８は、本体部１６の側面から下面１６ｂまで湾曲して延びた部材であり、下面１６ｂから進退可能である。開口部２６内には、雄側コネクタ２５の端子板（図示せず）と接続される端子板２６ａが配設されている。
【００６６】
雌側コネクタ２４は、図６（Ａ）、図１７（Ａ）及び図１７（Ｃ）に示すようにカバー部材２８が上動位置にある状態では開口部２６の厚み方向の開口寸法が縮小され、雄側コネクタ２５を挿入不能な非使用状態となる。一方、雌側コネクタ２４は、図６（Ｂ）及び図１７（Ｂ）に示すようにカバー部材２８が下動位置にある状態では開口部２６の厚み方向の開口寸法が拡大され、雄側コネクタ２５を挿入可能な使用状態となる。
【００６７】
図１７（Ａ）〜図１７（Ｃ）に示すように、カバー部材２８は、左右方向に並んで一対設けられた昇降ピン２８ａ，２８ａを有する。各昇降ピン２８ａは、昇降用部材６０に設けられた各昇降レール６０ｂにそれぞれ摺動可能に係合する。昇降用部材６０はカバー部材２８の前後縁部にそれぞれ重なるように一対設けられているため、昇降ピン２８ａはカバー部材２８の前後縁部からそれぞれ左右一対ずつ合計４本が突出している。
【００６８】
３．２（２）  カバー部材の上下動作の説明
次に、カバー部材２８の上下動作について説明する。
【００６９】
先ず、表示部１４が０度位置にある場合には、図９及び図１４に示すように初期位置にあるヒンジリンク４２によってリンクプレート５２が図中で反時計方向に回動した初期位置にあり、作用ピン５４が長孔５０ｂの前端位置にある。このため、緩衝部５６、開閉スライド部材５８及び昇降スライド部材７８は最も前側に退動した初期位置にある。
【００７０】
この状態では、昇降用部材６０はコイルばね７４の付勢力によって開閉スライド部材５８側に移動した位置にあり、摺接部６０ａが押圧部７２の根元の摺動面７１に当接している（図１４参照）。その結果、図１７（Ａ）に示すように、カバー部材２８は、昇降ピン２８ａが昇降用部材６０の昇降レール６０ｂの上端部に位置して最も上動した位置にあり、雌側コネクタ２４が非使用状態にある。従って、図２及び図６（Ａ）に示すように、カバー部材２８が本体筐体２２に埋没しているため、カバー部材２８が外観上で邪魔になることがなく、本体部１６の板厚が最も薄い状態にある。つまり、電子機器１０の使用が想定されず外部機器の接続の必要が少ない０度位置では、雌側コネクタ２４を非使用状態にしておくことにより、電子機器１０の板厚が可及的に薄型化される。
【００７１】
次に、表示部１４が０度位置から開き方向に回動されるとヒンジ機構１２のヒンジ筐体３２も回動し、スパイラルピン３８が回転する。０度位置から９０度位置の間では、ヒンジ連結機構部４４のヒンジリンク４２の係合片４２ａがレール溝３９の第１作動部３９ａに位置している（図８参照）。このため、０度位置から９０度位置の間でのスパイラルピン３８の回転により、ヒンジリンク４２が進動方向（図１４中で右側）に引き寄せ移動されてリンクプレート５２を図１４中で反時計方向に回動させ、作用ピン５４及び緩衝部５６を介して開閉スライド部材５８を後方へと進動させる（図１０参照）。
【００７２】
開閉スライド部材５８が後方に移動すると、押圧部７２が昇降用部材６０の摺接部６０ａに摺接し、昇降用部材６０をコイルばね７４の付勢力に抗して図１４中で左側へと押圧移動させる。９０度位置では、押圧部７２の頂部と昇降用部材６０の摺接部６０ａの頂部とが当接した位置となるため（図１５に示す１８０度位置の場合と同一）、昇降用部材６０が最も外側に退動した位置となる。その結果、カバー部材２８は、図１７（Ａ）に示す位置から図１７（Ｂ）に示す位置まで移動した昇降用部材６０の昇降レール６０ｂによって昇降ピン２８ａが押圧され、昇降ピン２８ａが昇降レール６０ｂの下端部を過ぎた部分に位置して最も下動した位置となり、雌側コネクタ２４が使用状態となる。この状態では、図６（Ｂ）及び図１７（Ｂ）に示すように、雌側コネクタ２４の開口部２６の開口寸法が拡大されているため、雄側コネクタ２５を挿入して接続することができる。
【００７３】
なお、０度位置から９０度位置までの間では、連結部材７６の連結状態切換部８２によって開閉スライド部材５８と昇降スライド部材７８との間が非連結状態となっている。このため、開閉スライド部材５８が移動しても昇降スライド部材７８は移動せず、初期位置に留まっている（図９、図１０、図１４及び図１５参照）。
【００７４】
続いて、９０度位置から１８０度位置の間は、ヒンジリンク４２の係合片４２ａがレール溝３９の空振り部３９ｂに位置しているため（図８参照）、ヒンジ筐体３２が回動してスパイラルピン３８が回転しても、ヒンジリンク４２は移動しない。すなわち、開閉スライド部材５８の位置も変化しないため、図６（Ｂ）及び図１７（Ｂ）に示すように、雌側コネクタ２４の開口部２６の開口寸法は雄側コネクタ２５を挿入可能な拡大状態に維持される。つまり、ノート型ＰＣとしての使用が想定される９０〜１５０度程度の間では雌側コネクタ２４が使用状態に維持されるため、雄側コネクタ２５を介して各種の外部機器を接続することが可能となっている。
【００７５】
次に、表示部１４が１８０度位置からさらに開き方向に回動されると、ヒンジリンク４２の係合片４２ａがスパイラルピン３８のレール溝３９の第２作動部３９ａを移動する（図８参照）。このため、１８０度位置から３６０度位置の間でのスパイラルピン３８の回転により、ヒンジリンク４２が進動方向にさらに引き寄せ移動されてリンクプレート５２を図１５中で反時計方向にさらに回動させ、作用ピン５４及び緩衝部５６を介して開閉スライド部材５８をさらに後方へと進動させる（図１２、図１３及び図１６参照）。
【００７６】
開閉スライド部材５８が図１５に示す１８０度位置での状態（９０度位置も同位置）から後方に移動すると、押圧部７２と昇降用部材６０の摺接部６０ａとが再び摺接を始める。本実施形態の場合、図１２に示す２４０度位置付近で昇降用部材６０の摺接部６０ａが押圧部７２の頂部を完全に通過し、コイルばね７４の付勢力によって摺接部６０ａが押圧部７２の斜面を下るように図１５中で右側に移動し始める。
【００７７】
３６０度位置では、図１３及び図１６に示すように昇降用部材６０が再び開閉スライド部材５８側に移動した位置となり、摺接部６０ａが押圧部７２の根元の摺動面７１に当接した位置になる。その結果、図１７（Ｃ）に示すように、カバー部材２８は、昇降ピン２８ａが昇降用部材６０の昇降レール６０ｂの上端部に位置して最も上動した位置に戻り、雌側コネクタ２４が非使用状態となる。従って、図５及び図６（Ａ）に示すように、カバー部材２８が本体筐体２２に再び埋没するため、カバー部材２８が邪魔になることなく電子機器１０をタブレット型ＰＣとしての使用形態に変化させることができる。つまり、可能な限りの薄型化が望まれるタブレット型ＰＣの使用形態での３６０度位置では、雌側コネクタ２４が非使用状態となる反面、電子機器１０の板厚を可及的に薄型化することができる。
【００７８】
一方、３６０度位置にある表示部１４を閉じ方向に回動動作させる場合には、上記の開き方向への回動動作と逆方向の動作が生じるため、表示部１４が３６０度位置から１８０度位置へと回動されるのに伴い、カバー部材２８が下動して雌側コネクタ２４が再び使用状態に戻る。そして、１８０度位置からさらに閉じ方向に表示部１４を回動させると、９０度位置を過ぎた付近から再びカバー部材２８が上動し、０度位置で雌側コネクタ２４が再び非使用状態に戻ることになる。
【００７９】
３．３  ベゼルの可動構造の説明
次に、ベゼル２０ｂの可動構造について説明する。
【００８０】
３．３（１）  ベゼルの構成の説明
先ず、ベゼル２０ｂの構成について説明する。図１８は、０度位置から１８０度位置までの間でのベゼル２０ｂ及びキー２０ａの状態を示す斜視図であり、図１９は、３６０度位置でのベゼル２０ｂ及びキー２０ａの状態を示す斜視図である。
【００８１】
図１及び図１８に示すように、ベゼル２０ｂは、キーボード２０のキー２０ａの周囲に配置された枠状のプレート部材であり、開口２３内で上下動可能である。ベゼル２０ｂは、その下面（内面）が駆動ワイヤ８０によって押圧されることで上下動し、その上面がキー２０ａの頂面よりも下にある下降位置（図１８参照）から、その上面がキー２０ａの頂面と面一又は僅かに上にある上昇位置（図１９参照）まで移動することができる。
【００８２】
図１８に示すように、ベゼル２０ｂは、その横枠２０ｃや縦枠２０ｄの内部に、下カバー２２ｂから立脚した複数のガイドピン９０が適宜介在している。ガイドピン９０によってベゼル２０ｂが左右方向及び前後方向にガイドされ、その上下動作がガタつきのない円滑なものとなっている。
【００８３】
３．３（２）  駆動ワイヤの構成の説明
ベゼル２０ｂを上下動作させる駆動ワイヤ８０の構成及び動作について説明する。図２０は、駆動ワイヤ８０の動作を説明するために該駆動ワイヤ８０の一端側を模式的に示した平面図であり、図２０（Ａ）は、０度位置から１８０度位置までの間での駆動ワイヤ８０の状態を示す図であり、図２０（Ｂ）は、３６０度位置での駆動ワイヤ８０の状態を示す図である。
【００８４】
図１４〜図１６に示すように、駆動ワイヤ８０は、左右のヒンジ機構１２Ｌ，１２Ｒと連動する左右の昇降スライド部材７８，７８のスリット８１，８１間に架け渡されている。駆動ワイヤ８０は、ＳＵＳ材等で形成された硬質の線材であり、例えば、直径１ｍｍ程度で十分な剛性を有する。本実施形態では７本の駆動ワイヤ８０を前後方向に並列している。各駆動ワイヤ８０は、その端部が左右のスリット８１，８１にそれぞれ上下動可能に且つ回転可能に係合され、各キー２０ａ間に形成された前後方向の間隙を埋めるように左右に延在したベゼル２０ｂの横枠２０ｃの下面に対して回転可能な状態で連結されている（図１８〜図２０参照）。
【００８５】
駆動ワイヤ８０の両端には、図２０（Ａ）に示す０度位置から１８０度位置までの姿勢で見た場合に、先端側で左右方向に延びてスリット８１に係合される係合部８０ａと、係合部８０ａの基端から上方へと屈曲した第１アーム部８０ｂと、第１アーム部８０ｂの基端から左右方向で内方へと延在した第２アーム部８０ｃと、第２アーム部８０ｃの基端から後方へと屈曲した第３アーム部８０ｄとが形成されている。左右両端の第３アーム部８０ｄから左右方向で内方へと屈曲して左右方向に延在したベース部８０ｅがベゼル２０ｂの横枠２０ｃの下面に軸支される。ベース部８０ｅには、前方に向けてＶ字状に屈曲された屈曲部８０ｆが形成されている。屈曲部８０ｆは、ベース部８０ｅの左右方向に渡って複数形成され、各キー２０ａ間に形成された左右方向の隙間を埋めるように前後に延在したベゼル２０ｂの縦枠２０ｄの下面位置に対応するように配置されている（図１８参照）。駆動ワイヤ８０の両端の構成は、左右対称構造とされている。
【００８６】
図２０に示すように、駆動ワイヤ８０のベース部８０ｅは、本体筐体２２に形成さされた上下方向のガイド孔９２に挿通され、該ガイド孔９２内で回転可能且つ上下動可能に保持されている。ガイド孔９２は、キーボード２０の外周を囲うように本体筐体２２の下カバー２２ｂから起立した壁部９３（図１参照）に形成されている。図１８及び図１９では、図面の見易さを確保するために壁部９３を省略している。
【００８７】
３．３（３）  ベゼルの上下動作の説明
次に、駆動ワイヤ８０を用いたベゼル２０ｂの上下動作について説明する。
【００８８】
先ず、０度位置から１８０度位置までの間は、上記したように昇降スライド部材７８は最も前方に退動した初期位置に留まっている（図９〜図１１及び図１４〜図１５参照）。この際、駆動ワイヤ８０は、図１８及び図２０（Ａ）に示すようにベース部８０ｅが下カバー２２ｂ上に着地し、屈曲部８０ｆも横倒し姿勢で下カバー２２ｂ上に着地している。このため、壁部９３のガイド孔９２内で保持されたベース部８０ｅから屈曲した第３アーム部８０ｄも下カバー２２ｂ上に着地し、図２０（Ａ）に示す水平姿勢となっている。
【００８９】
この状態では、駆動ワイヤ８０のベース部８０ｅが回転可能に連結されたベゼル２０ｂもベース部８０ｅによって引き寄せられて下降位置にあり、図１８に示すようにキー２０ａの頂面よりもベゼル２０ｂの上面が下にあり、キー２０ａを良好に操作することができる。なお、ベゼル２０ｂの下面と下カバー２２ｂの上面との間には、常時ベゼル２０ｂを下方へと付勢する弾性部材（図示せず）が介在しているため、その付勢力により、０度位置から１８０度位置までの間でベゼル２０ｂは確実に所定の下降位置に保持され、がたつき等を生じることがない。
【００９０】
続いて、１８０度を超えて開き方向に表示部１４が回動されると、連結部材７６の連結状態切換部８２によって開閉スライド部材５８と昇降スライド部材７８の間が連結状態となり、後方に移動する開閉スライド部材５８に従動して昇降スライド部材７８も後方に移動する。そうすると、図２０（Ｂ）に示すように、後方に移動する昇降スライド部材７８によって駆動ワイヤ８０の係合部８０ａが後方へと移動される。このため、駆動ワイヤ８０は、係合部８０ａが昇降スライド部材７８のスリット８１内で回転しつつ上昇し、ベース部８０ｅが壁部９３のガイド孔９２内で回転しつつ上昇するため、ベース部８０ｅが上方へと持ち上がり、屈曲部８０ｆはＶ字の頂点で下カバー２２ｂ上を摺接しつつ立ち上がる（図１９及び図２０（Ｂ）参照）。
【００９１】
最終的に３６０度位置では、昇降スライド部材７８が最も前方に移動した位置となり（図１３及び図１６参照）、下カバー２２ｂ上に着地している第２アーム部８０ｃの基端側から屈曲した第３アーム部８０ｄが下カバー２２ｂ上から起立し、図２０（Ｂ）に示す鉛直姿勢となる。
【００９２】
この状態では、ベース部８０ｅは下カバー２２ｂから上昇した上昇位置にあり、このベース部８０ｅと連結されたベゼル２０ｂも、前記弾性部材の付勢力に抗してベース部８０ｅによって持ち上げられて上昇位置にある。このため、図１９に示すようにベゼル２０ｂの上面がキー２０ａの頂面と面一又は僅かに上にあり、キーボード２０の上面が略平面となる。つまり、各キー２０ａがベゼル２０ｂによって実質的に隠された状態となり、本体部１６の上面１６ａがフラットな面となるため、タブレット型ＰＣとして使用する際、キーボード２０が邪魔になることがない。
【００９３】
一方、３６０度位置にある表示部１４を閉じ方向に回動動作させる場合には、上記の開き方向への回動動作と逆方向の動作が生じるため、表示部１４が３６０度位置から１８０度位置へと回動されるのに伴い、昇降スライド部材７８が前方へと移動して駆動ワイヤ８０を開き動作時とは逆方向に回転動作させる。これにより、駆動ワイヤ８０は、ベース部８０ｅ及び屈曲部８０ｆが下カバー２２ｂ上に着地し、第３アーム部８０ｄが下カバー２２ｂ上に着地した水平姿勢に戻り（図２０（Ａ）参照）、ベゼル２０ｂもベース部８０ｅによって引き寄せられて下降位置となる。なお、１８０度位置からさらに閉じ方向に表示部１４を回動させても昇降スライド部材７８及びベゼル２０ｂは動作しない。
【００９４】
４．緩衝部の説明
次に、緩衝部５６の作用について説明する。
【００９５】
上記のように、電子機器１０では、ヒンジ機構１２の回動動作と連動するリンク機構４０を設けたことにより、表示部１４の回動動作に伴って雌側コネクタ２４のカバー部材２８及びベゼル２０ｂを本体部１６の外面から進退させることができる。
【００９６】
ところが、例えばユーザが本体部１６を手で把持し、カバー部材２８又はベゼル２０ｂを指先で押さえた状態のまま表示部１４を開き方向に回動させようとしたとする。この場合には、ヒンジ連結機構部４４が動作して緩衝部５６を介して開閉スライド部材５８及び昇降スライド部材７８を後方に移動させようとするが、カバー部材２８又はベゼル２０ｂが抑えられてその進退動作が阻止されるため、開閉スライド部材５８及び昇降スライド部材７８は移動することができない。このため、表示部１４、ヒンジ機構１２及びリンク機構４０に大きな負担がかかり、各部に破損等を生じる懸念がある。
【００９７】
そこで、本実施形態に係る電子機器１０では、リンク機構４０に安全機構となる緩衝部５６を設け、表示部１４の回動動作とカバー部材２８及びベゼル２０ｂの進退動作とのリンク機構４０による連動状態を解除可能に構成している。
【００９８】
緩衝部５６は、上記のように突部材６４が開閉スライド部材５８の受け部材６６に係合している。このため、カバー部材２８又はベゼル２０ｂが押さえつけられていない通常時には、緩衝部５６と開閉スライド部材５８（及び昇降スライド部材７８）とが一体的に後方に移動する（図２１（Ａ）参照）。
【００９９】
一方、例えば指先でカバー部材２８又はベゼル２０ｂを押さえた状態で表示部１４を回動させた場合には、開閉スライド部材５８が移動できないため、図２１（Ｂ）中に２点鎖線で示すように緩衝部５６の突部材６４がコイルばね６２の付勢力に抗して退動し、突部材６４が受け部材６６を乗り越える。このため、ヒンジ連結機構部４４が動作しても緩衝部５６のみが前方に移動し、開閉スライド部材５８（及び昇降スライド部材７８）は移動しない。これにより、表示部１４、ヒンジ機構１２及びヒンジ連結機構部４４は問題なく所定の動作を行うことができるため、表示部１４、ヒンジ機構１２及びリンク機構４０の各部に大きな負担がかかり、各部に破損等を生じることを回避できる。
【０１００】
５．電子機器の作用効果の説明
以上のように、本実施形態に係る電子機器１０では、ヒンジ機構１２によって表示部１４を本体部１６に対して回動させる回動動作に連動して動作するリンク機構４０と、雄側コネクタ２５を挿入するための雌側コネクタ２４の開口部２６の壁部を構成し、リンク機構４０の動作に連動して本体部１６の外面から進退することで開口部２６の開口寸法を拡縮するカバー部材２８とを備える。
【０１０１】
従って、本体部１６を薄型に構成し、所望の接続規格からなり所定の開口寸法を必要とする雌側コネクタ２４を本体部１６に搭載することが難しい場合であっても、可動するカバー部材２８によって雌側コネクタ２４の開口寸法を拡縮可能としたことにより、雌側コネクタ２４の搭載が可能となる。つまり、本発明は、スタンダードタイプのＵＳＢ規格やイーサネット（登録商標）規格のようにある程度の厚み寸法を有する雌側コネクタ２４を薄型の本体部１６に搭載する際に特に有効である。
【０１０２】
この際、カバー部材２８は、リンク機構４０を介して表示部１４の回動動作に連動して進退する構成となっている。このため、例えば電子機器１０が使用されず外部機器の接続の必要が少ない０度位置では、雌側コネクタ２４の開口寸法を縮小させて薄型に構成することができる一方、表示部１４を開いて電子機器１０を使用する際には雌側コネクタ２４の開口寸法が拡大されるため外部機器を円滑に接続することができる。これにより、ユーザはカバー部材２８の動作を意識せずに雌側コネクタ２４を利用できるため操作負担がない。また、開口寸法が縮小された状態の雌側コネクタ２４に雄側コネクタ２５を誤って挿入することも防止できるため、カバー部材２８の破損等も回避できる。
【０１０３】
すなわち、電子機器１０が上記したコンバーチブル型ＰＣやノート型ＰＣである場合、雌側コネクタ２４は、本体部１６に対して表示部１４が閉じられた状態でカバー部材２８によって開口寸法が縮小されて雄側コネクタ２５を挿入不能な非使用状態となる一方、本体部１６に対して表示部１４が開かれた状態ではカバー部材２８によって開口寸法が拡大されて雄側コネクタ２５を挿入可能な使用状態となることで、ユーザはカバー部材２８の開閉操作を行う必要がなく、利便性が高い。
【０１０４】
また、電子機器１０が上記したコンバーチブル型ＰＣである場合、雌側コネクタ２４は、０度位置で非使用状態であり、０度位置から第１の角度位置、例えば９０度位置まで表示部１４を開いた場合に使用状態となり、第１の角度位置からら３６０度位置方向に向かって回動させた第２の角度位置、例えば２４０度位置まで開いた場合に非使用状態となることが好ましい。これにより、ノート型ＰＣでの使用形態では雌側コネクタ２４を使用状態とすることができる一方、タブレット型ＰＣでの使用形態ではカバー部材２８を本体筐体２２に埋没させて電子機器１０全体の板厚を薄型に構成することができる。
【０１０５】
電子機器１０では、連結部材７６によって開閉スライド部材５８と連結され、該開閉スライド部材５８の前後方向への移動を受けて本体筐体２２に対して前後方向に従動することで、カバー部材２８とは別の可動部材であるベゼル２０ｂを本体部１６の外面から進退させる昇降スライド部材７８を備え、連結部材７６は、本体部１６に対する表示部１４の回動角度に応じて昇降スライド部材７８と開閉スライド部材５８との間を連結状態又は非連結状態とする連結状態切換部８２を有する。これにより、カバー部材２８とベゼル２０ｂをそれぞれ表示部１４の回動角度に応じた所望の角度位置で個別に動作させることが可能となっている。
【０１０６】
換言すれば、電子機器１０は、表示部１４の回動に連動して前後方向に移動することで第１の可動部材となるカバー部材２８を動作させる第１スライド部材（開閉スライド部材５８）と、この第１スライド部材の移動に従動して前後方向に移動することで第２の可動部材となるベゼル２０ｂを動作させる第２スライド部材（昇降スライド部材７８）とを備え、これら第１スライド部材と第２スライド部材との間を表示部１４の回動角度に応じて連結状態又は非連結状態とする連結状態切換部８２を有する連結部材７６で連結している。このため、２つの異なる可動部材を１つのリンク機構４０を用いて異なる角度位置で動作させることができ、機構の小型化及び構造の簡素化が図られている。
【０１０７】
電子機器１０では、カバー部材２８の下面にゴム脚２９Ｒを設けているため、雌側コネクタ２４が使用状態になると図３に示すようにゴム脚２９Ｒが机上に着地し、本体部１６の後端側が持ち上がる。このため、キーボード２０が後上がりの姿勢となり、その入力操作が楽になる。またカバー部材２８が直接机上に着地しないため、がたつきや当接音を生じることもない。
【０１０８】
なお、本発明は、上記した実施形態に限定されるものではなく、本発明の主旨を逸脱しない範囲で自由に変更できることは勿論である。
【符号の説明】
【０１０９】
１０  電子機器
１２，１２Ｌ，１２Ｒ  ヒンジ機構
１４  表示部
１６  本体部
１８  ディスプレイ
２０  キーボード
２０ａ  キー
２０ｂ  ベゼル
２２  本体筐体
２２ａ  上カバー
２２ｂ  下カバー
２４  雌側コネクタ
２５  雄側コネクタ
２６  開口部
２８  カバー部材
２８ａ  昇降ピン
２９Ｆ，２９Ｒ  ゴム脚
３２  ヒンジ筐体
３８  スパイラルピン
３９，８４，８５  レール溝
３９ａ  第１作動部
３９ｂ  第２作動部
３９ｃ，８４ａ  空振り部
４０  リンク機構
４２  ヒンジリンク
４２ａ  係合片
４４  ヒンジ連結機構部
４６  カバー開閉機構部
４８  ベゼル昇降機構部
５０  ベースプレート
５２  リンクプレート
５６  緩衝部
５８  開閉スライド部材
６０  昇降用部材
６０ａ  摺接部
６０ｂ  昇降レール
６２，７４  コイルばね
７１  摺動面
７２  押圧部
７６  連結部材
７８  昇降スライド部材
８０  駆動ワイヤ
８２  連結状態切換部
８４ｂ  連結部
８６  駆動ピン
８７  従動ピン
【図１】
0005976079.tif 000002
【図２】
0005976079.tif 000003
【図３】
0005976079.tif 000004
【図４】
0005976079.tif 000005
【図５】
0005976079.tif 000006
【図６】
0005976079.tif 000007
【図７】
0005976079.tif 000008
【図８】
0005976079.tif 000009
【図９】
0005976079.tif 000010
【図１０】
0005976079.tif 000011
【図１１】
0005976079.tif 000012
【図１２】
0005976079.tif 000013
【図１３】
0005976079.tif 000014
【図１４】
0005976079.tif 000015
【図１５】
0005976079.tif 000016
【図１６】
0005976079.tif 000017
【図１７】
0005976079.tif 000018
【図１８】
0005976079.tif 000019
【図１９】
0005976079.tif 000020
【図２０】
0005976079.tif 000021
【図２１】
0005976079.tif 000022